(57)【要約】【課題】利用者にそれほど大きな負担を強いることなく、利用者の興味に近い広告を印刷したり、利用者が購入検討の対象に入っていなかった商品へ利用者の意識を向けたり、購入し忘れた商品に利用者を気づかせるような広告を印刷したりできる広告印刷システムを提供する。【解決手段】広告サーバに広告情報、広告画像、タグワード、カテゴリ及びそれらの紐付けを登録する登録手段と、画像形成装置が販売情報管理システムから発行されたレシートを読込みレシート画像を得る読取り手段と、抽出手段と、通信手段と、画像形成装置が文字情報中のタグワードを検索し、その出現を検出し、タグワードテーブルに登録する検索手段と、タグワードテーブルとカテゴリを比較して、差分タグワードを検出する検出手段と、差分ワードと紐付けられた掲載候補広告を前記広告サーバが選択する選択手段と、選択手段と、印刷手段とを有する。【選択図】図２
2014099093.tif 000002
【特許請求の範囲】
【請求項１】
広告サーバに広告情報、広告画像、タグワード、カテゴリ及びそれらの紐付けを登録する登録手段と、
画像形成装置が販売情報管理システムから発行されたレシートを読込みレシート画像を得る読取り手段と、
前記画像形成装置がレシート画像から文字情報を抽出する抽出手段と、
前記画像形成装置が前記広告サーバと、タグワードテーブル、前記広告画像、前記タグワードを送受信する通信手段と、
前記画像形成装置が文字情報中の前記タグワードを検索し、その出現を検出し、前記タグワードテーブルに登録する検索手段と、
該タグワードテーブルと前記カテゴリを比較して、差分タグワードを検出する検出手段と、
差分ワードと紐付けられた掲載候補広告を前記広告サーバが選択する選択手段と、
掲載候補広告数が必要広告数に満たなかった場合に、追加の掲載候補広告をランダムで選択する選択手段と、
前記選択された掲載候補広告を前記画像形成装置において印刷する印刷手段とを有することを特徴とする広告印刷システム。
【請求項２】
前記選択手段は、掲載候補広告数が必要広告数に満たなかった場合に、前記タグワードデータベースにおいて出現回数が多い順に前記タグワードを選択し、それらのタグワードに紐付けられた広告を選択して前記掲載候補広告に追加することを特徴とする請求項１記載の広告印刷システム。
【請求項３】
前記選択手段は、前記掲載候補広告が必要広告数よりも多かった場合に、広告主から支払われる広告料に応じて設定される掲載優先度が高い広告を優先的に掲載候補広告として選択することを特徴とする請求項１記載の広告印刷システム。
【請求項４】
前記選択手段は、前記掲載候補広告が必要広告数よりも多かった場合に、広告の最終掲載日時が遠い広告ほど優先的に掲載候補として選択することを特徴とする請求項１記載の広告印刷システム。
【請求項５】
前記選択手段は、前記掲載候補広告が必要広告数よりも多かった場合に、広告の掲載回数が少ない広告ほど優先的に掲載候補として選択することを特徴とする請求項１記載の広告印刷システム。
【請求項６】
前記選択手段は、広告主からレシートを読込まずに印刷することを許可された広告であることを登録しておき、利用者がレシートを読込ませなくても、許可された広告のうち優先度が高い順に掲載候補として選択することを特徴とする請求項１記載の広告印刷システム。
【発明の詳細な説明】
【技術分野】
【０００１】
本発明は、広告印刷を効果的に行う広告印刷システムに関する。
【背景技術】
【０００２】
従来から印刷データと共に広告を印刷し、その広告印刷枚数に応じた広告料を広告主に請求することで、多機能プリンタ（ＭＦＰ）の利用料を減額する広告印刷システムは既に知られている。
【０００３】
今までの広告印刷システムは、利用者の興味情報を収集するために、予め利用者に興味情報の入力を要求するものや、原稿の印刷データから抽出される文字列に基づいて広告を選択するものなどがある。
【０００４】
また、特許文献１には、原稿の画像データから文字列を抽出し、抽出された文字情報で検索された広告を印刷するシステムが開示されている。
【発明の概要】
【発明が解決しようとする課題】
【０００５】
しかし、従来技術は、具体的な利用者の興味情報を得るためには多くの質問事項の入力が必要となり、利用者に負担を強いることになるという問題があった。
【０００６】
また、特許文献１に開示されている技術は、原稿の印刷データから抽出される文字列が必ずしも利用者の興味情報と一致する訳ではなく、印刷データによっては利用者にとって興味のない広告が印刷されてしまうという問題があった。
【０００７】
本発明は、前記課題を解決するためのものであり、その目的とするところは、利用者にそれほど大きな負担を強いることなく、利用者の興味に近い広告を印刷したり、利用者が購入検討の対象に入っていなかった商品へ利用者の意識を向けたり、購入し忘れた商品に利用者を気づかせるような広告を印刷したりできる広告印刷システムを提供することである。
【課題を解決するための手段】
【０００８】
かかる目的を達成するために、本発明は、以下の特徴を有する。
【０００９】
本発明に係る広告印刷システムは、広告サーバに広告情報、広告画像、タグワード、カテゴリ及びそれらの紐付けを登録する登録手段と、画像形成装置が販売情報管理システムから発行されたレシートを読込みレシート画像を得る読取り手段と、前記画像形成装置がレシート画像から文字情報を抽出する抽出手段と、前記画像形成装置が前記広告サーバと、タグワードテーブル、前記広告画像、前記タグワードを送受信する通信手段と、前記画像形成装置が文字情報中の前記タグワードを検索し、その出現を検出し、前記タグワードテーブルに登録する検索手段と、該タグワードテーブルと前記カテゴリを比較して、差分タグワードを検出する検出手段と、差分ワードと紐付けられた掲載候補広告を前記広告サーバが選択する選択手段と、掲載候補広告数が必要広告数に満たなかった場合に、追加の掲載候補広告をランダムで選択する選択手段と、前記選択された掲載候補広告を前記画像形成装置において印刷する印刷手段とを有することを特徴とする。
【発明の効果】
【００１０】
本発明によれば、利用者にそれほど大きな負担を強いることなく、利用者の興味に近い広告を印刷したり、利用者が購入検討の対象に入っていなかった商品へ利用者の意識を向けたり、購入し忘れた商品に利用者を気づかせるような広告を印刷したりできる。
【図面の簡単な説明】
【００１１】
【図１】本実施形態に係る印刷システム全体を示す図である。
【図２】本実施形態に係る広告サーバの構成と広告情報データベースを示す図である。
【図３】本実施形態に係るタグワードデータベースと掲載候補テーブルを示す図である。
【図４】本実施形態に係るＭＦＰの構成とタグワードテーブルを示す図である。
【図５】本実施形態に係る認証サーバの構成と利用者情報データベースを示す図である。
【図６】本実施形態で使用するレシートの構成を示す図である。
【図７】ＭＦＰがレシートを読込み、広告サーバから取得した広告画像を印刷するフロー図である。
【図８】広告サーバがＭＦＰから受信したタグワードテーブル、必要広告数に基づいて、ＭＦＰに送信する広告画像を選択するフロー図である。
【図９】ＭＦＰがレシートを読込まずに広告印刷を行う場合に、認証サーバから取得したタグワードテーブルに基づいて、広告を印刷するフロー図である。
【発明を実施するための形態】
【００１２】
以下、本実施形態について図面により詳細に説明する。
【００１３】
図１は、本実施形態に係る印刷システム全体を示す図である。本実施形態における多機能プリンタ（ＭＦＰ１）、広告登録端末２はＬＡＮや公衆回線網などのネットワーク回線に接続されている。
【００１４】
これらのネットワーク上には、紐付けされる広告情報、タグワード情報を登録する広告サーバ５、ＭＦＰの課金情報を登録する課金サーバ３、ＭＦＰの利用者情報を登録する認証サーバ４が構築されている。
【００１５】
なお、ソフトウェア(ファームウェア)が、ＭＦＰ１、広告登録端末２、広告サーバ５、課金サーバ３、認証サーバ４に搭載されており、それぞれのソフトウェア(ファームウェア)が本実施形態を実現するように協調しながら動作する。
【００１６】
図２（ａ）は、本実施形態に係る広告サーバ５の構成を示す図である。図２（ｂ）は、本実施形態に係る広告情報データベースの構成を示す図である。図３（ａ）は、本実施形態に係るタグワードデータベースの構成を示す図である。図３（ｂ）は、本実施形態に係る掲載候補テーブルを示す図である。
【００１７】
広告サーバ５は、図２（ａ）に示すように、モニタやキーボード、或いはタッチパネルなどの操作部２６や表示部２７、ＭＦＰ１との通信を行う通信制御部２５を有し、これらの制御を執り行う制御部２１、プログラムを格納したり、ワークメモリ等として使用したりする主記憶部２２及び、図２（ｂ）と図３（ａ）に示すような各種データを広告情報、タグワード情報として管理し、それらのデータを保持するためのデータベースを蓄積するＨＤＤ等の蓄積媒体２３、２４を含んで構成される。
【００１８】
図２（ｂ）に示すように、広告情報データベース２３には、広告登録端末からネットワーク上のＰＣなどの広告登録端末を通じて予め広告情報、広告画像、タグワードＩＤが紐付けされて登録されている。広告情報では、その広告を示す識別子(ＩＤ)、広告主名、最終掲載日時、掲載回数、掲載優先度、値段層、レシート無し印刷の可否、掲載地域などの情報が登録される。
【００１９】
本実施形態は、レシート内に記載されている文字情報中の商品名、サービス名、分野名などの文字列を識別し、その文字列同士の関連性や出現回数に応じた広告を選択する。この商品名、サービス名、分野名などを本実施形態ではタグワードと呼び、予め広告サーバのタグワードデータベースに格納されている。また、タグワードは広告情報と紐付けることで、その広告がどのような内容で、どのような分野に興味がある利用者に見てもらいたいかを表すことができる。
【００２０】
図３（ａ）に示すように、各タグワードはタグワードデータベース２４に登録されており、各タグワードにはユニークなタグワードＩＤが与えられている。広告情報とタグワードはこのタグワードＩＤを通じて紐付けられている。また、タグワードデータベース２４においてタグワードはいくつかのカテゴリに所属している。
【００２１】
カテゴリとは、タグワードで表される商品やサービスが、他のタグワードで表される商品やサービスと組み合わされることで、新しい価値を生み出すような複数のタグワードをまとめたものである。
【００２２】
図４（ａ）は、本実施形態に係るＭＦＰ１の構成を示す図である。図４（ｂ）は、本実施形態に係るタグワードテーブルを示す図である。印刷データや広告を印刷する記録部３６、読み取ったレシート画像からレシート識別部３５、購入履歴部を抽出する画像処理部３３、広告サーバ５との通信を行う通信制御部３４を有し、これらの制御を執り行う制御部３１、プログラムを格納したり、ワークメモリ等として使用したりする主記憶部３２を含んで構成される。
【００２３】
ＭＦＰ１はレシート識別部を識別し、有効なレシートであることを確認した後、主記憶部３２に図４（ｂ）に示すタグワードテーブルを作成する。タグワードテーブルはレシートの購入履歴部から抽出された文字情報中において、広告サーバ５で取得したタグワードが一度でも出現していたら、そのタグワードと出現回数を登録するテーブルである。
【００２４】
図５（ａ）は、本実施形態に係る認証サーバ４の構成を示す図である。図５（ｂ）は、本実施形態に係る利用者情報データベース４３を示す図である。認証サーバ４は、図５（ａ）に示すように、モニタやキーボード、或いはタッチパネルなどの操作部４５や表示部４６、ＭＦＰ１やユーザ認証サーバ４との通信を行う通信制御部４４を有し、これらの制御を執り行う制御部４１、プログラムを格納したり、ワークメモリ等として使用したりする主記憶部４２及び、図５（ｂ）に示すような各種データを利用者情報として管理し、それらのデータを保持するためのデータベースを蓄積するＨＤＤ等の蓄積媒体４３により構成される。
【００２５】
図５（ｂ）に示す利用者情報データベース４３では、ＭＦＰ１を使用する利用者情報とタグワードテーブルが登録されている。また、タグテーブルを登録する際は、既に登録されているタグワードテールを削除してから登録する。
【００２６】
タグワードテーブルは、ＭＦＰ１において広告印刷時に作成されたタグワードテーブルを受信し、利用者情報に紐付けられ、作成日とともに登録されたものである。このタグワードテーブルは利用者が有効なレシートを所持していなかった場合などに、ＭＦＰ１に送信し、レシートを読込んだ場合のタグワードテーブルの代替として扱われるものである。また、作成日から一定時間過ぎたタグワードテーブルは受信した広告サーバ５において無効と判断される。
【００２７】
図６は、本実施形態で使用するレシートの構成を示す図である。レシートは本実施形態において有効なレシートであることを識別するための専用マークやＱＲコード（登録商標）、もしくはバーコードが印刷されたレシート識別部５１と、レシート識別部を除く購入履歴部５２で構成される。
【００２８】
ＭＦＰは読込んだレシート画像から「TEL」、「電話番号」という文字列を検出し、その横に並ぶ数字列を電話番号として識別し、その電話番号情報を取得し、電話番号から地域を特定し、広告を選択する際は広告情報の掲載地域と電話番号から割り出された地域が一致する広告のみを対象とすることで、広告掲載地域を限定したい広告主の要望にこたえることができる。
【００２９】
また、ＭＦＰは読込んだレシート画像から「xx/xx/xx」「xx月xx日」という文字列を検出し、これをレシート印刷日付（商品購入日）として識別し、予め設定された日付より前のレシートは無効とすることで、なるべく新しい利用者の興味分野を識別できる。
【００３０】
また、ＭＦＰは読込んだレシート画像から「合計」という文字列を検出し、それと横並びに記載される数値を商品購入時の合計金額として識別し、この商品購入金額をタグワードテーブルとともに広告サーバ５に送信することで、広告サーバ５は商品購入金額と広告情報の値段層を比較し、商品購入金額が値段層に含まれる広告のみを対象として選択する。これにより、利用者の金銭感覚にあった商品の広告が印刷される。
【００３１】
図７は、広告印刷システムにおいて、利用者が読込ませたレシートの内容に基づき、ＭＦＰ１が広告サーバ５から広告画像を取得し、広告印刷を行うフローについて説明する図である。本実施形態により広告印刷を行うためには、印刷を行う前に利用者はレシートをＭＦＰに読込ませる必要がある。
【００３２】
利用者はＭＦＰで広告印刷モードを選択する（ステップＳ１）。利用者はＭＦＰで「レシートあり」「レシートなし」のどちらかを選択する（ステップＳ２）。利用者はＭＦＰで「レシートあり」を選択した場合（ステップＳ３、Ｙｅｓ）、ＭＦＰはレシート画像を読込む（ステップＳ４）。
【００３３】
ＭＦＰはレシート識別部画像を検索し（ステップＳ５）、有効なレシートか判断する（ステップＳ６）。有効なレシートである場合（ステップＳ６、Ｙｅｓ）、追加のレシートがあるか判断する（ステップＳ７）。レシートを読込み後、利用者にさらに読込むレシートが「ある」「ない」を確認し、ある場合は１回の広告印刷で、複数のレシートを同時に読込むことで、より利用者にとって有効な広告を選択できる。
【００３４】
追加のレシートがない場合（ステップＳ７、Ｎｏ）、ＭＦＰはレシートの購入履歴部画像から文字情報を取得する（ステップＳ８）。ＭＦＰは広告サーバからタグワードを取得し（ステップＳ９）、記憶部にタグテーブルを作成する（ステップＳ１０）。
【００３５】
ＭＦＰは文字情報中のタグワードを識別し（ステップＳ１１）、ＭＦＰは文字情報中に１回以上出現したタグワードをタグテーブルに登録する（ステップＳ１２）。その後、ＭＦＰはレシート画像から抽出した文字情報を、広告サーバ５から取得したタグワードで検索し、１回以上検出されたタグワードはＭＦＰ１の主記憶部３２に作成したタグワードテーブルに登録する。ＭＦＰは印刷ドキュメント枚数などから広告印刷枚数を確認する（ステップＳ１３）。コピーの場合は原稿読取も行う。
【００３６】
必要広告数は広告を印刷する場所などにより、次のような場合が考えられる。広告はドキュメントの頁数に基づき、全頁の裏面に１つ、もしくは複数の広告を印刷してもよいし、ドキュメントの空白部分に合成してもよい。また、ドキュメント１部ごとに広告を変えてもよいし、すべて同じ広告を印刷してもよい。
【００３７】
ＭＦＰ１はタグワードテーブル、要求広告数を広告サーバ５に送信し、広告画像を要求し（ステップＳ１４）、広告サーバから広告画像を受信する（ステップＳ１５）。上記で得られたタグワードテーブルと要求広告数を広告サーバに送信し、その応答として広告画像を取得する。
【００３８】
最後に、ＭＦＰは広告とともにドキュメントの印刷を実行し（ステップＳ１６）、ＭＦＰは課金サーバ３に「レシートあり」の課金情報を送信する（ステップＳ１７）。
【００３９】
また、本広告印刷システムにおいて、利用者がレシートではなく、別の原稿などを読込ませたりすることで、正しく機能しなくなることを避けるために、レシート画像から文字情報を抽出する前に、図６で示したような販売情報管理（ＰＯＳ）システムにより予め印刷されたマークやＱＲコードなどのレシート識別部を検索し、検出できなければ無効なレシートとする。
【００４０】
本広告印刷システムにおいて、読込んだレシートが無効なレシートと判断された場合（ステップＳ６、Ｎｏ）、利用者が再度メニュー選択をする手間を省くために、再度レシート読込みを行うか確認する（ステップＳ１８）。
【００４１】
また、利用者が有効なレシートを所持していない場合でも広告印刷できるように（ステップＳ３、Ｎｏ）、「レシートなし」広告印刷モードを設ける（ステップＳ１９、Ｙｅｓ）。「レシートなし」印刷の場合はタグワードテーブルを作成できないので、広告サーバには要求広告数のみ送信し、本実施形態による広告選択方法は実施されない。
【００４２】
「レシートなし」広告印刷を設けると、利用者がレシートを読込ませる手間を惜しんで「レシートあり」広告印刷を選択しなくなってしまうおそれがあり、これを避けるために、「レシートあり」広告印刷の場合は「レシートなし」広告印刷の場合に比べて、課金の減額を多くするなどして（「レシートあり」の場合は課金無料、「レシートなし」の場合は課金半額など）課金サーバに送信する課金額を変更する。
【００４３】
なお、本発明による広告選択方法は選択された広告を印刷するだけでなく、コピー中、プリント中のＭＦＰの表示部に表示することで、利用者の目にふれさせてもよい。この場合、広告印刷による無駄なトナーやインク、紙が使用されないという効果がある。
【００４４】
ＭＦＰは要求広告数を広告サーバに送信し、広告画像を要求し（ステップＳ２０）、広告サーバから広告画像を受信する（ステップＳ２１）。上記で得られたタグワードテーブルと要求広告数を広告サーバに送信し、その応答として広告画像を取得する。
【００４５】
ＭＦＰは広告とともにドキュメントの印刷を実行し（ステップＳ２２）、課金サーバに「レシートなし」の課金情報を送信する（ステップＳ２３）。
【００４６】
図８は、広告印刷システムにおいて、広告サーバ５がＭＦＰ１から受信したタグワードテーブル、要求広告数に基づいて、ＭＦＰ１に送信する広告画像を選択するフローについて説明する図である。広告サーバ５はＭＦＰ１からタグワードテーブル、必要広告数を受信し（ステップＳ３１）、掲載候補テーブルを記憶部に作成する（ステップＳ３２）。
【００４７】
ＭＦＰからタグテーブルを受信した場合（ステップＳ３３、Ｙｅｓ）、広告サーバ５はＭＦＰ１から受信したタグワードテーブルと、タグワードデータベースの各カテゴリを比較し、差分タグワードを検出する（ステップＳ３４）。
【００４８】
差分タグワードとはタグワードテーブルには存在するが、カテゴリには所属していないタグワードのことである。つまり、本実施形態において差分タグワードは、オススメ商品や購入し忘れ商品を表す文字列という位置づけになる。
【００４９】
差分タグワードを検出したら（ステップＳ３５、Ｙｅｓ）、広告情報データベースにおいてそのタグワードに紐付けられている広告情報を主記憶部に作成した掲載候補テーブルに登録する（ステップＳ３６）。
【００５０】
差分タグワードが検出されなかった場合や（ステップＳ３５、Ｎｏ）、掲載候補数がＭＦＰの要求広告数に満たなかった場合（ステップＳ３７、Ｙｅｓ）、タグテーブルにおいて出現回数の多いタグワードから順に選び、それらに紐付けられた広告情報を掲載候補テーブルに登録する（ステップＳ３９）。これは、レシートにある文字列は利用者にとって興味がある商品、分野を表しており、その出現回数が多いほど高い興味を持っているという判断で行われる処理である。
【００５１】
また、掲載候補数がＭＦＰの要求広告数を超えてしまった場合は（ステップＳ３７、Ｎｏ）、以下の３手順で絞り込む。広告情報の掲載優先度が低いものから順に、掲載候補テーブルから削除する（ステップＳ４０）。掲載優先度とは、広告主からの広告料などにより予め設定されている情報である。掲載候補広告が必要広告数よりも多かった場合に、広告主から支払われる広告料などに応じて設定される掲載優先度が高い広告を優先的に掲載候補広告として選択することで、広告主からの広告料の多少を広告掲載頻度に反映できる。掲載候補数がＭＦＰの要求広告数と等しい場合は（ステップＳ４１、Ｙｅｓ）、掲載候補テーブルの広告画像をＭＦＰに送信する（ステップＳ４７）。
【００５２】
掲載候補数がＭＦＰの要求広告数と等しくない場合は（ステップＳ４１、Ｎｏ）、広告情報の最終掲載日時が新しいものから順に、掲載候補テーブルから削除する（ステップＳ４２）。掲載候補広告が必要広告数よりも多かった場合に、広告の最終掲載日時が遠い広告ほど優先的に掲載候補として選択することで、広告掲載頻度の平等性を保つことができる。掲載候補数がＭＦＰの要求広告数と等しい場合は（ステップＳ４３、Ｙｅｓ）、掲載候補テーブルの広告画像をＭＦＰに送信する（ステップＳ４７）。
【００５３】
掲載候補数がＭＦＰの要求広告数と等しくない場合は（ステップＳ４３、Ｎｏ）、広告情報の掲載回数が多いものから順に、掲載候補テーブルから削除する（ステップＳ４４）。掲載候補広告が必要広告数よりも多かった場合に、広告の掲載回数が少ない広告ほど優先的に掲載候補として選択することで、広告掲載頻度の平等性を保つことができる。掲載候補数がＭＦＰの要求広告数と等しい場合は（ステップＳ４５、Ｙｅｓ）、掲載候補テーブルの広告画像をＭＦＰに送信する（ステップＳ４７）。
【００５４】
３手順でも絞りきれず、掲載候補数がＭＦＰの要求広告数と等しくない場合は（ステップＳ４５、Ｎｏ）、掲載候補テーブルからランダムで掲載候補を選択し、削除する（ステップＳ４６）。最後に、掲載候補テーブルの広告画像をＭＦＰに送信する（ステップＳ４７）。
【００５５】
「レシートなし」広告印刷モードにおいて、ＭＦＰからタグワードテーブルが送信されなかった場合（ステップＳ３３、Ｎｏ）、広告情報データベースにおいて掲載優先度の高いものから順に掲載候補テーブルに登録する（ステップＳ３８）。広告主からレシートを読込まずに印刷することを許可された広告であることを登録しておき、利用者がレシートを読込ませなくても、許可された広告のうち優先度が高い順に掲載候補として選択することで、有効なレシートを所持していない利用者でも広告印刷を利用できる。
【００５６】
ただし、この場合、「レシートあり」広告印刷モードに比べて、利用者にとって興味のない広告が印刷される可能性が高まるため、予め広告主から許可得て広告情報の「レシート無し印刷」が「可」となっているものだけを対象とする。
【００５７】
図９は、具体的にＭＦＰがレシートを読込まずに広告印刷を行う場合に、認証サーバから取得したタグワードテーブルに基づいて、広告を印刷するフローについて説明する図である。
【００５８】
レシートなし印刷モードを実施する際に、認証サーバ４の利用者情報データベースに登録してある、タグワードを取得し、レシートを読込んで作成したタグワードテーブルの代替として使用するように図７を追加変更したものである。
【００５９】
まず、利用者はＭＦＰを使用する前にログイン操作を行い（ステップＳ５１）、ＭＦＰは認証サーバに利用者の認証情報を確認する（ステップＳ５２）。「レシートあり」広告印刷を行った場合（ステップＳ５５、Ｙｅｓ）、ＭＦＰはその時に作成したタグワードテーブルを認証サーバに送信し、タグワードを利用者情報に登録する（ステップＳ６７）。図７と同一のフローは説明を省略する。
【００６０】
また、本広告印刷システムにおいて、読込んだレシートが無効なレシートと判断された場合（ステップＳ５８、Ｎｏ）、利用者が再度メニュー選択をする手間を省くために、再度レシート読込みを行うか確認する（ステップＳ７０）。
【００６１】
また、利用者が有効なレシートを所持していない場合でも広告印刷できるように（ステップＳ５５、Ｎｏ）、「レシートなし」広告印刷モードを設ける（ステップＳ７１、Ｙｅｓ）。
【００６２】
ＭＦＰは認証サーバの利用者情報からタグワードテーブルを取得し、記憶部に格納する（ステップＳ７２）。タグテーブルの作成日から予め決められた日数以上経っている場合（ステップＳ７３、Ｙｅｓ）、ＭＦＰはタグワードテーブル、要求広告数を広告サーバ５に送信し、広告画像を要求する（ステップＳ７４）。
【００６３】
レシートを読込ませて広告印刷を行った際に、ＭＦＰが作成したタグワードテーブルを認証サーバ４に送信し、利用者情報に登録しておき、レシートを読込ませずに広告印刷を行った際は、認証サーバ４からタグワードテーブルを取得して代替することで、利用者がレシートを所持していない場合でもレシート読込みとほぼ同等の効果を発揮できる。
【００６４】
また、認証サーバ４から取得したタグワードの作成日を確認し、予め決められた日付以上に以前に作成された場合は無効として使用せずに、タグワードテーブルを新規に作成することで、利用者の古い商品購入情報が反映された広告が印刷されることを防ぐことができる。
【００６５】
タグテーブルの作成日から予め決められた日数以上経っていない場合（ステップＳ７３、Ｎｏ）、ＭＦＰは要求広告数を広告サーバに送信し、広告画像を要求する（ステップＳ７５）。
【００６６】
広告サーバから広告画像を受信し（ステップＳ７６）、ＭＦＰは広告とともにドキュメントの印刷を実行し（ステップＳ７７）、課金サーバに「レシートなし」の課金情報を送信する（ステップＳ７８）。
【００６７】
本実施形態によれば、利用者が以前に店舗で商品を購入した際にＰＯＳシステムから発行されたレシートをＭＦＰに読込ませ、読込ませたレシート画像から文字情報を抽出し、予めサーバなどに登録されている商品名、サービス名、分野名などの文字列を文字情報から検索し、各文字列のレシート中における出現状況に基づいた広告を選択することで、利用者にそれほど大きな負担を強いることなく、利用者の興味に近い広告を印刷するだけでなく、利用者が購入検討の対象に入っていなかった商品へ利用者の意識を向けたり、購入し忘れた商品に利用者を気づかせるような広告を印刷することができる。
【符号の説明】
【００６８】
１    ＭＦＰ
２    広告登録端末
３    課金サーバ
４    認証サーバ
５    広告サーバ
２１    制御部
２２    主記憶部
２３    広告情報データベース
２４    タグワードデータベース
２５    通信制御部
２６    操作部
２７    表示部
３３    画像処理部
３５    読取部
３６    記録部
【先行技術文献】
【特許文献】
【００６９】
【特許文献１】特許第３６５５２５１号公報
【図１】
2014099093.tif 000003
【図２】
2014099093.tif 000004
【図３】
2014099093.tif 000005
【図４】
2014099093.tif 000006
【図５】
2014099093.tif 000007
【図６】
2014099093.tif 000008
【図７】
2014099093.tif 000009
【図８】
2014099093.tif 000010
【図９】
2014099093.tif 000011